(57)【要約】【課題】  公衆回線などに回線上に品質劣化要因が存在する場合、通信を確立するまでに要する時間を短縮することができる通信端末装置及びデータ通信方法を提供する。【解決手段】  ITU-T勧告V.90のフェーズ３、４でITU-T勧告V.90からITU-T勧告V.34に強制フォールバックを実施することにより、アナログ回線で接続変調モードは変更され、通信レートは低下するが、通信端末装置として接続するまでに要する時間を短縮することができ、かつ切断することのない安定した接続を得ることができる。【選択図】  図１
2006135553.tif 000002
【特許請求の範囲】
【請求項１】
データ通信を行う機能を有する通信端末装置において、
ITU-T勧告V.8に準拠した手順信号を送信する第１の送信手段、着呼側から送信されるJM信号を受信する第１の受信手段、及び前記第１の受信手段の検出結果に基づいて動作共通モードを選択し、接続すべき勧告種を示す識別検出手段を有する第１の通信部と、
ITU-T勧告V.90に準拠した手順信号を送信する第２の送信手段、及び着呼側から送信される手順信号を受信する第２の受信手段を有する第２の通信部と、
前記ITU-T勧告V.8の検出結果で共通モードとして前記ITU-T勧告V.90が選択され、フェーズ２で測定した接続回線の信号劣化状況に合わせて選択されたITU-T勧告V.90で接続できないと判断した場合、フェーズ３またはフェーズ４からITU-T勧告で定められた回復手順より早くITU-T勧告V.34の信号手順に切り替える制御手段と、
ITU-T勧告V.34に準拠した手順信号を送信する第３の送信手段、及び着呼側から送信される手順信号を受信する第３の受信手段を有する第３の通信部と、を備えたことを特徴とする通信端末装置。
【請求項２】
前記制御手段は、前記第１の通信部の送信信号TRNの手順が終了した時点で、回線状況が悪化して前記ITU-T勧告V.90で接続できないと判断した場合、前記第１の通信部より強制的にITU-T勧告V.34モードにフォールバックさせるようなINFOデータを作成してリカバリを実施することにより、フェーズ３のトレーニング終了後にフォールバックさせることを特徴とする請求項１記載の通信端末装置。
【請求項３】
前記制御手段は、前記第１の通信部の送信信号CP、CP'の手順中で、回線状況が悪化して前記ITU-T勧告V.90で接続できないと判断した場合、前記第１の通信部より強制的にITU-T勧告V.34モードにフォールバックさせるようなINFOデータを作成してリカバリを実施することにより、フェーズ４のCP信号送信時にフォールバックさせることを特徴とする請求項１記載の通信端末装置。
【請求項４】
通信端末装置間でデータの通信を行うデータ通信方法において、
第１の通信部は、ITU-T勧告V.8に準拠した手順信号を送信し、着呼側から送信されるJM信号を受信し、前記第１の受信手段の検出結果に基づいて動作共通モードを選択し、接続すべき勧告種を示し、
第２の通信部は、ITU-T勧告V.90に準拠した手順信号を送信し、着呼側から送信される手順信号を受信し、
制御手段は、前記ITU-T勧告V.8の検出結果で共通モードとして前記ITU-T勧告V.90が選択され、フェーズ２で測定した接続回線の信号劣化状況に合わせて選択されたITU-T勧告V.90で接続できるか否かを判断し、接続できないと判断した場合、フェーズ３またはフェーズ４からITU-T勧告で定められた回復手順より早くITU-T勧告V.34の信号手順に切り替え、
第３の通信部は、ITU-T勧告V.34に準拠した手順信号を送信し、着呼側から送信される手順信号を受信することを特徴とするデータ通信方法。
【請求項５】
前記制御手段は、前記第１の通信部の送信信号TRNの手順が終了した時点で、回線状況が悪化して前記ITU-T勧告V.90で接続できないと判断した場合、前記第１の通信部より強制的にITU-T勧告V.34モードにフォールバックさせるようなINFOデータを作成してリカバリを実施することにより、フェーズ３のトレーニング終了後にフォールバックさせることを特徴とする請求項４記載のデータ通信方法。
【請求項６】
前記制御手段は、前記第１の通信部の送信信号CP、CP'の手順中で、回線状況が悪化して前記ITU-T勧告V.90で接続できないと判断した場合、前記第１の通信部より強制的にITU-T勧告V.34モードにフォールバックさせるようなINFOデータを作成してリカバリを実施することにより、フェーズ４のCP信号送信時にフォールバックさせることを特徴とする請求項４記載のデータ通信方法。
【発明の詳細な説明】
【技術分野】
【０００１】
本発明は、通信端末装置及びデータ通信方法に関し、特にITU-T勧告V.8、V.34及びV.90に準じた通信手順に基づいて通信を行う機能を有するモデム装置、ホストを備える通信端末装置等の通信端末装置及びデータ通信方法に関する。
【背景技術】
【０００２】
通信端末装置は、発呼側及び着呼側双方の通信能力の指定や交換にしたがってデータ伝送の確立を行う。能力交換は、通信の最初ITU-T勧告V.8の手順によって行われる（詳細手順は、図１を参照）。
図１はITU-T勧告V.90フェーズ１（ITU-T勧告V.8）を示す説明図である。
図中、「アナログモデム」は、電話回線に接続しているモードを示し、「ディジタルモデム」はサーバー等で用いられているモデムのモードを意味する。
通信端末装置で情報が交換され、双方が共通で使用できる速度、変調方式がITU-T（International Telecommunication Union-Standardization Sector）の勧告で定められた「例えば、V.90、V.34、V.32bis、V.32、V.22bis、V.22、V.21等の速度、変調方式」の規格が決定される事になる。
【０００３】
ここで、通信端末装置としてITU-T勧告V.8、V.34の手順実行中に、推定した回線状態に応じてT.30に切換え、安価な通信コストで所望のデータを送受信するものがある（例えば、特許文献１参照）。
【０００４】
この特許文献１記載の通信装置は、ITU-T勧告T.30、V.8、V.34の手順に従って相手通信装置との間で通信可能な通信装置において、当該通信装置を起呼局として被呼局との間で通信回線を接続してITU-T勧告V.8手順を実行しているとき、当該通信装置が送信したCM信号の予め定められる送信時間t1内に被呼局からのJM信号を検出する検出手段と、前記CM送信時間t1内にJM信号が検出されないときに、勧告V.8手順の実行を中断して、ITU-T勧告T.30手順に従う半二重通信動作を実行する制御手段とを含むものである。
【０００５】
しかしながら、この特許文献１記載の通信装置は、ITU-T勧告V.8手順の実行を中断して、勧告T.30手順に従うため、回線上に品質劣化要因が存在する場合、通信を確立するまでに時間がかかってしまう。
【０００６】
一方、ITU-T勧告V.90の場合、（上記ITU-T勧告V.8はITU-T勧告V.90ではフェーズ１を示す）選択された共通モード（変調方式）に則した信号手順でデータ伝送までをフェーズと呼ばれるセッションを4つ確立して行く（フェーズ１〜４の詳細は図１〜図４を参照）。
図２はITU-T勧告V.90フェーズ２の説明図、図３はTTU-T勧告V.90フェーズ３の説明図、図４はITU-T勧告V.90フェーズ４の説明図である。
【０００７】
ITU-T勧告V.90のフェーズは１から４まで存在し、確立に際し必要となる接続情報、例えば、発信側および受信側モデムの通信能力に関する機能情報や、発信側モデムと受信側モデムの間の回線品質によってトレーニングされるパラメータ、回線プロービング結果がフェーズ２で取得することができる。
【０００８】
図５は図３の３−ａ部の拡大図であり、フェーズ３のトレーニング終了後にフォールバックさせる方法の説明図である。図６は図４の４−ａ部の拡大図であり、フェーズ４のCP信号送信時にフォールバックさせる方法の説明図である。
【０００９】
同様に、機能情報としても機能選択情報や変調モード、変調パラメータが取得できると規定されている。ITU-T勧告V.90によると、デジタルモデムが送出するINFO1d信号（図２参照）を受信後、アナログモデムはINFO1a（表１〜表３）を送信する。
【００１０】
【表１】
2006135553.tif 000003
【００１１】
【表２】
2006135553.tif 000004
【００１２】
【表３】
2006135553.tif 000005
【００１３】
アナログモデムがINFO1a信号を生成する際、通常、発信側モデムと受信側モデム間の回線品質によってトレーニングされるパラメータ、回線プロービング結果を用いるが、ITU-T勧告V.8で決定された変調方式が採用される。
【特許文献１】特開平１１−１２７３２８号公報
【発明の開示】
【発明が解決しようとする課題】
【００１４】
しかしながら、上記ITU-T勧告V.8で選択されたITU-T勧告V.90モードで接続を開始し、ITU-T勧告V.90フェーズ３（詳細手順は図３を参照）、ITU-T勧告V.90フェーズ４(詳細手順は図４を参照)と進み、データ伝送フェーズまで到達した時点で、ITU-T勧告V.90の選択した速度では、回線状況が悪い場合（例えば、プライベートに回線を構築した交換機を経由した場合等）に当初ITU-T勧告V.8で選択したITU-T勧告V.90モードでは接続できない場合がある。その場合、ITU-T勧告では、再度ITU-T勧告V.90フェーズ２（詳細手順は図２を参照）の手順から再び双方の通信端末間でトレーニングをやり直して最適と思われる接続を確立していた。
【００１５】
ITU-T勧告V.90の接続において、フェーズ１、２、３、４と進み、その手順を実行中に回線品質劣化などの理由で接続できなかった場合、再度フェーズ２まで戻る事をリカバリと言う。勧告に定義されているリカバリ機構が働くと当然、接続完了までの手順が増え、接続までに時間がかかり使用者に負担がかかっていた。
実際にITU-T勧告V.90モデムの場合、ダイアリング後、フェーズ１、フェーズ２、フェーズ３、フェーズ４を経由し、データモードまで到達する。もし仮にこの時点で接続できなかった場合には、再びINFO情報（表１〜表３）の交換や、プロービングに等を実施するフェーズ２から再度実行する事となり、接続時間がかかっていた。
【００１６】
リカバリ機構には、フェーズ３の最初（図３参照）から、フェーズ２のINFO1a信号（図２の2-a部参照）を利用しITU-T勧告V.90モードからITU-T勧告V.34モードにフォールバック（変調方法を変更する）させる方法が知られている。
これは、デジタルモデムから送信されたINFO信号（表１〜表３）のプロービング結果（シンボルレート値も含む）と、実装している等価器のエラー値から回線劣化が見受けられた場合、アナログモデムが送信するINFO1a信号をITU-T勧告V.90モード選択時のものからITU-T勧告V.34モード選択時のbit定義に変更し接続速度を落とし安定した接続、接続するまでの時間を向上するための仕組みである。
【００１７】
しかしながら、このリカバリ機構では以下の問題があった。
フェーズ２での回線状況の判定のため（実際の転送レートでの回線状況判断ではない）に詳細な判定が出来ない。
また、データモード到達後の接続できない場合にリカバリ機構が働いた場合再度フェーズ２からの接続手順を踏まざるを得なくなり接続時間が大きくかかり、リカバリ動作を最悪ケースでは、何回も繰り返す状態になり接続を確立できない場合が発生する。
そこで、本発明は、公衆回線などに回線上に品質劣化要因が存在する場合、通信を確立するまでに要する時間を短縮することができる通信端末装置及びデータ通信方法を提供することを目的とする。
【課題を解決するための手段】
【００１８】
上記課題を解決するため、請求項１記載の発明は、データ通信を行う機能を有する通信端末装置において、ITU-T勧告V.8に準拠した手順信号を送信する第１の送信手段、着呼側から送信されるJM信号を受信する第１の受信手段、及び前記第１の受信手段の検出結果に基づいて動作共通モードを選択し、接続すべき勧告種を示す識別検出手段を有する第１の通信部と、ITU-T勧告V.90に準拠した手順信号を送信する第２の送信手段、及び着呼側から送信される手順信号を受信する第２の受信手段を有する第２の通信部と、前記ITU-T勧告V.8の検出結果で共通モードとして前記ITU-T勧告V.90が選択され、フェーズ２で測定した接続回線の信号劣化状況に合わせて選択されたITU-T勧告V.90で接続できないと判断した場合、フェーズ３またはフェーズ４からITU-T勧告で定められた回復手順より早くITU-T勧告V.34の信号手順に切り替える制御手段と、ITU-T勧告V.34に準拠した手順信号を送信する第３の送信手段、及び着呼側から送信される手順信号を受信する第３の受信手段を有する第３の通信部と、を備えたことを特徴とする。
【００１９】
請求項２記載の発明は、請求項１記載の発明において、前記制御手段は、前記第１の通信部の送信信号TRNの手順が終了した時点で、回線状況が悪化して前記ITU-T勧告V.90で接続できないと判断した場合、前記第１の通信部より強制的にITU-T勧告V.34モードにフォールバックさせるようなINFOデータを作成してリカバリを実施することにより、フェーズ３のトレーニング終了後にフォールバックさせることを特徴とする。
【００２０】
請求項３記載の発明は、請求項１記載の発明において、前記制御手段は、前記第１の通信部の送信信号CP、CP'の手順中で、回線状況が悪化して前記ITU-T勧告V.90で接続できないと判断した場合、前記第１の通信部より強制的にITU-T勧告V.34モードにフォールバックさせるようなINFOデータを作成してリカバリを実施することにより、フェーズ４のCP信号送信時にフォールバックさせることを特徴とする。
【００２１】
請求項４記載の発明は、通信端末装置間でデータの通信を行うデータ通信方法において、第１の通信部は、ITU-T勧告V.8に準拠した手順信号を送信し、着呼側から送信されるJM信号を受信し、前記第１の受信手段の検出結果に基づいて動作共通モードを選択し、接続すべき勧告種を示し、第２の通信部は、ITU-T勧告V.90に準拠した手順信号を送信し、着呼側から送信される手順信号を受信し、制御手段は、前記ITU-T勧告V.8の検出結果で共通モードとして前記ITU-T勧告V.90が選択され、フェーズ２で測定した接続回線の信号劣化状況に合わせて選択されたITU-T勧告V.90で接続できるか否かを判断し、接続できないと判断した場合、フェーズ３またはフェーズ４からITU-T勧告で定められた回復手順より早くITU-T勧告V.34の信号手順に切り替え、第３の通信部は、ITU-T勧告V.34に準拠した手順信号を送信し、着呼側から送信される手順信号を受信することを特徴とする。
【００２２】
請求項５記載の発明は、請求項４記載の発明において、前記制御手段は、前記第１の通信部の送信信号TRNの手順が終了した時点で、回線状況が悪化して前記ITU-T勧告V.90で接続できないと判断した場合、前記第１の通信部より強制的にITU-T勧告V.34モードにフォールバックさせるようなINFOデータを作成してリカバリを実施することにより、フェーズ３のトレーニング終了後にフォールバックさせることを特徴とする。
【００２３】
請求項６記載の発明は、請求項４記載の発明において、前記制御手段は、前記第１の通信部の送信信号CP、CP'の手順中で、回線状況が悪化して前記ITU-T勧告V.90で接続できないと判断した場合、前記第１の通信部より強制的にITU-T勧告V.34モードにフォールバックさせるようなINFOデータを作成してリカバリを実施することにより、フェーズ４のCP信号送信時にフォールバックさせることを特徴とする。
【発明の効果】
【００２４】
ITU-T勧告V.90のフェーズ３、４でITU-T勧告V.90からITU-T勧告V.34に強制フォールバックを実施することにより、アナログ回線で接続変調モードは変更され、通信レートは低下するが、通信端末装置として接続するまでに要する時間を短縮することができ、かつ切断することのない安定した接続を得ることができる。
【発明を実施するための最良の形態】
【００２５】
本発明の一実施の形態は、データ通信を行う機能を有する通信端末装置であって、  ITU-T勧告V.8に準拠した手順信号を送信する第１の送信手段、着呼側から送信されるJM信号を受信する第１の受信手段、及び第１の受信手段の検出結果に基づいて動作共通モードを選択し、接続すべき勧告種を示す識別検出手段を有する第１の通信部と、  ITU-T勧告V.90に準拠した手順信号を送信する第２の送信手段、及び着呼側から送信される手順信号を受信する第２の受信手段を有する第２の通信部と、ITU-T勧告V.8の検出結果で共通モードとしてITU-T勧告V.90が選択され、フェーズ２で測定した接続回線の信号劣化状況に合わせて選択されたITU-T勧告V.90で接続できないと判断した場合、フェーズ３またはフェーズ４からITU-T勧告で定められた回復手順より早くITU-T勧告V.34の信号手順に切り替える制御手段と、ITU-T勧告V.34に準拠した手順信号を送信する第３の送信手段、及び着呼側から送信される手順信号を受信する第３の受信手段を有する第３の通信部と、を備えたものである。
【００２６】
ここで、制御手段は、第１の通信部の送信信号TRN（トレーニング信号）の手順が終了した時点で、回線状況が悪化してITU-T勧告V.90で接続できないと判断した場合、第１の通信部より強制的にITU-T勧告V.34モードにフォールバックさせるようなINFOデータを作成してリカバリを実施することにより、フェーズ３のトレーニング終了後にフォールバックさせてもよく、第１の通信部の送信信号CP、CP'の手順中で、回線状況が悪化してITU-T勧告V.90で接続できないと判断した場合、第１の通信部より強制的にITU-T勧告V.34モードにフォールバックさせるようなINFOデータを作成してリカバリを実施することにより、フェーズ４のCP信号送信時にフォールバックさせてもよい。
【００２７】
本発明の他の実施の形態は、通信端末装置間でデータの通信を行うデータ通信方法であって、第１の通信部は、ITU-T勧告V.8に準拠した手順信号を送信し、着呼側から送信されるJM信号を受信し、第１の受信手段の検出結果に基づいて動作共通モードを選択し、接続すべき勧告種を示し、第２の通信部は、ITU-T勧告V.90に準拠した手順信号を送信し、着呼側から送信される手順信号を受信し、制御手段は、ITU-T勧告V.8の検出結果で共通モードとしてITU-T勧告V.90が選択され、フェーズ２で測定した接続回線の信号劣化状況に合わせて選択されたITU-T勧告V.90で接続できるか否かを判断し、接続できないと判断した場合、フェーズ３またはフェーズ４からITU-T勧告で定められた回復手順より早くITU-T勧告V.34の信号手順に切り替え、第３の通信部は、ITU-T勧告V.34に準拠した手順信号を送信し、着呼側から送信される手順信号を受信する方法である。
【００２８】
ここで、制御手段は、制御手段は、第１の通信部の送信信号TRNの手順が終了した時点で、回線状況が悪化してITU-T勧告V.90で接続できないと判断した場合、第１の通信部より強制的にITU-T勧告V.34モードにフォールバックさせるようなINFOデータを作成してリカバリを実施することにより、フェーズ３のトレーニング終了後にフォールバックさせてもよく、第１の通信部の送信信号CP、CP'の手順中で、回線状況が悪化してITU-T勧告V.90で接続できないと判断した場合、第１の通信部より強制的にITU-T勧告V.34モードにフォールバックさせるようなINFOデータを作成してリカバリを実施することにより、フェーズ４のCP信号送信時にフォールバックさせてもよい。
【００２９】
すなわち、本実施の形態は、フェーズ３（図３の3-a部／図５）のトレーニング終了後にフォールバックさせるか、もしくはフェーズ４のCP信号送信時（図４内4-a部／図６）にフォールバックさせることにより上記課題を解決するものである。
例えば、上記２つの方法は、実回線上に存在するフェーズ２で計測した回線劣化要因で（INFO情報を使用）ITU-T勧告V.34にフォールバックできない場合に、V.90変調のフェーズ３に移行する方法である。この場合、フェーズ３のトレーニング部で等価器、エコーキャンセラー等を動作させた結果で、データ伝送フェーズに到達する以前にV.34変調に強制的にフォールバックさせるものである。
また、本実施の形態は、フェーズ３で実施することとなる比較をフェーズ４のＣＰ信号を受信している間にも、同様に等価器の値に従って強制的にV.34変調にフォールバックさせるものである。
【００３０】
上記方法を用いることによりITU-T勧告V.90のフェーズ３、４の所で、ITU-T勧告V.90からITU-T勧告V.34に強制フォールバックを実施するにあたり、アナログ回線で接続変調モードは変更され通信レートは落ちるが、モデムシステムとして接続までに要する時間を短くでき、かつ切断することのない安定した接続を得ることができる通信端末装置及び通信方法を提供するものである。
【実施例】
【００３１】
本発明の通信端末装置の実施例は、ITU-T勧告V.8で選択された共通動作モードにもかかわらず回線状況が悪い場合にINFO情報の交換回数を減らし、回線接続を安定して行うことができ、ITU-T勧告V.34、ITU-T勧告V.90で定義されているINFO情報の交換やプロービングに要する時間を削減でき、モデム相互のハンドシェイクに要する時間を短縮することができるようになる。
【００３２】
〔実施例１：フェーズ３（図３の3-a部／図５）のトレーニング終了後にフォールバックさせる方法〕
下図のアナログモデム（Analog Modem）送信信号TRNの手順が終了した時点で、接続しようとしている実回線上での等価器及びエコーキャンセラーの状態が分かる。このときの等価器エラーの値と、スレッシュ値とを比較し、一定値より悪い場合に、アナログモデムより強制的にV.34モードにフォールバックするINFOデータを作成してリカバリを実施する様にする（図中左向き太矢印）。それにより、以降の手順（フェーズ３のJ信号送信→S信号送信→S^信号送信→SCR信号送信→S信号送信→S^信号送信、フェーズ４のSCR信号送信→CP信号送信→CP'信号送信→E信号送信→B1信号送信：図中右向き太矢印）を踏むことなく、フェーズ２から、V.34変調モードに移行し安定し、かつ短い時間（約１０秒短縮）で接続することが可能となる。
【００３３】
〔実施例２：フェーズ４のCP信号送信時（図４の4-a部／図６）にフォールバックさせる方法〕
下図のアナログモデム送信信号CP,CP'の手順中で、接続しようとしている実回線上での等価器の状態の更新を行い、このとき、上記と同様な等価器エラーの値と、スレッシュ値とを比較し、一定値より悪い場合に、アナログモデムより強制的にV.34モードにフォールバックするINFOデータを作成してリカバリを実施する様にする。それにより、以降の手順（フェーズ４のCP信号送信→CP'信号送信→E信号送信→B1信号送信）を踏むことなくフェーズ２から、V.34変調モードに移行し安定し、かつ短い時間で接続することが可能となる。
【産業上の利用可能性】
【００３４】
本発明は、モデム装置、ホストを備える通信端末装置等に適用できる。
【図面の簡単な説明】
【００３５】
【図１】ITU-T勧告V,90フェーズ１（ITU-T勧告V.8）を示す説明図である。
【図２】ITU-T勧告V.90フェーズ２の説明図である。
【図３】ITU-T勧告V.90フェーズ３の説明図である。
【図４】ITU-T勧告V.90フェーズ４の説明図である。
【図５】図３の３−ａ部の拡大図であり、フェーズ３のトレーニング終了後にフォールバックさせる方法の説明図である。
【図６】図４の４−ａ部の拡大図であり、フェーズ４のCP信号送信時にフォールバックさせる方法の説明図である。
【符号の説明】
【００３６】
ＡＮＳａｍ信号    変形応答トーン信号
ＣＭ信号    起呼メニュー信号
ＣＪ信号    ＣＭ終了子信号
ＪＭ信号    共通メニュー信号
ＴＲＮ信号    トレーニング信号
【図１】
2006135553.tif 000006
【図２】
2006135553.tif 000007
【図３】
2006135553.tif 000008
【図４】
2006135553.tif 000009
【図５】
2006135553.tif 000010
【図６】
2006135553.tif 000011